(57)【要約】      （修正有）【課題】人目をひきやすい、視認性良好な表示を行うことができ、それでいて、全体がコンパクトにまとめられ、また、分解組み立てが容易な光表示装置を提供する。【解決手段】光源を発光ダイオードＬ１〜Ｌ８として所定色の光表示を行える表示ユニットＵＲ、ＵＹ、ＵＷが基体部１０上に積み重ねられた構成をした装置Ａは表示ユニットに共通の電源回路部ＰＷＣと、各表示ユニットに対応した表示信号を出力するための表示信号出力回路部ＤＳＣとを含み、各表示ユニットは、発光ダイオード基板１と、発光ダイオードの駆動回路基板２と、発光ダイオードに臨む反射放光体３と、これらを覆う透光性カバー４Ｒ（４Ｙ、４Ｇ、４Ｗ）とを含んでいる。少なくとも一つの表示ユニットの駆動回路基板２は発光ダイオードを回転灯様に点灯させる基板である。【選択図】図２
2010066471.tif 000002
【特許請求の範囲】
【請求項１】
それぞれが光源を発光ダイオードとして予め定めた色の光表示を行える表示ユニットが基体部上に複数段に順次積み重ねられた光表示装置であり、
前記基体部に設けられ、前記表示ユニットのそれぞれに共通に用いられる電源回路部と、
前記基体部に設けられ、前記各表示ユニットに対応した表示信号入力部を含む表示信号出力回路部とを含み、
前記各表示ユニットは、
複数個の発光ダイオードを環状に配列した発光ダイオード基板と、該発光ダイオード基板に接続された発光ダイオードの駆動回路基板と、該発光ダイオードからの光を予め定めた方向へ反射出射させるための該発光ダイオードに臨む反射放光体と、これら発光ダイオード基板、駆動回路基板及び反射放光体の周囲を覆う筒状の透光性カバーとを含んでおり、
前記表示ユニットのうち前記基体部に最も近い最下段の表示ユニットにおける前記駆動回路基板が接離可能のコネクタを介して前記電源回路部及び前記表示信号出力回路部に接続されているとともに該最下段より上の各表示ユニットの駆動回路基板が接離可能のコネクタを介して隣り合う下の段の表示ユニットにおける駆動回路基板に接続されていることで、前記複数段に積み重ねられた表示ユニットのそれぞれの駆動回路基板が前記電源回路部及び前記表示信号出力回路部に接続されており、
前記表示ユニットのそれぞれの発光ダイオードの駆動回路基板は、前記電源回路部から電力供給を受けるとともに前記表示信号出力回路部から自身へ向けられた表示信号を受信して該駆動回路基板に接続された前記発光ダイオード基板上の発光ダイオードを該表示信号に応じて点灯制御でき、
前記表示ユニットのうち少なくとも一つにおける前記駆動回路基板は該駆動回路基板に接続された前記発光ダイオード基板上の環状配列発光ダイオードを回転灯様に点灯させることができる基板であり、前記表示信号出力回路部から自身へ向けられる回転灯様点灯を指示する表示信号に基づいて該駆動回路基板に接続された前記発光ダイオード基板上の発光ダイオードを回転灯様に点灯制御することを特徴とする光表示装置。
【請求項２】
前記表示ユニットのそれぞれにおける前記駆動回路基板は、前記表示信号出力回路部からの表示信号のうち自身が受けるべき表示信号のみを取り込むための信号取り込みジャンパ回路部を含んでいる請求項１記載の光表示装置。
【請求項３】
前記表示ユニットのうち二つ以上における駆動回路基板のそれぞれは、該駆動回路基板が接続された前記発光ダイオード基板上の環状配列発光ダイオードを回転灯様に点灯制御させることができる基板であり、該発光ダイオードを回転灯様に点灯制御できる駆動回路基板は前記信号取り込みジャンパ回路部以外の回路部分が同じである請求項２記載の光表示装置。
【請求項４】
前記発光ダイオード基板上の環状配列発光ダイオードを回転灯様に点灯制御させることができる駆動回路基板のうち少なくとも一つは、該駆動回路基板に接続された発光ダイオード基板上の環状配列発光ダイオードを回転灯様点灯以外の状態に点灯させることもできる基板であり、前記表示信号出力回路部から自身へ向けられる回転灯様点灯以外の点灯指示の表示信号に基づいて該駆動回路基板に接続された発光ダイオード基板上の発光ダイオードを回転灯様点灯以外の状態に点灯制御する請求項１、２又は３記載の光表示装置。
【請求項５】
前記発光ダイオード基板上の発光ダイオードを回転灯様点灯以外の状態に点灯制御するときの発光ダイオード点灯状態が発光ダイオードの一斉点灯である請求項４記載の光表示装置。
【請求項６】
前記基体部にさらにブザー及び該ブザーの駆動回路を備えており、該ブザー駆動回路は前記電源回路部及び前記表示信号出力回路部に配線接続されており、該表示信号出力回路部は該ブザー駆動回路にブザー駆動指示信号を発するための部分を含んでいる請求項１から５のいずれかに記載の光表示装置。
【請求項７】
少なくとも一つの前記表示ユニットにおける前記反射放光体は、前記発光ダイオード基板上の環状配列発光ダイオードに臨む透明な光反射放光部材と、該光反射放光部材に前記発光ダイオードとは反対側から臨む光反射傘部材とを含んでいる請求項１から６のいずれかに記載の光表示装置。
【請求項８】
前記複数段の表示ユニットは、積み重ね変えてそれぞれの段位置を変更することができる請求項１から７のいずれかに記載の光表示装置。
【請求項９】
前記表示ユニットの積み重ね段数を増減することができる請求項１から８のいずれかに記載の光表示装置。
【発明の詳細な説明】
【技術分野】
【０００１】
本発明は各種産業機器、パチンコ機、パチスロ機等の各種娯楽機器などの機器類の動作状態、異常状態等を表示させることや、交通標識、各種催しにおける表示、舞台装置の一部、店舗等における光装飾などとしても用いることができる光表示装置に関し、特にそれぞれが光源を発光ダイオードとして予め定めた色の光表示を行える表示ユニットが基体部上に複数段に順次積み重ねられた光表示装置に関する。
【背景技術】
【０００２】
従来、光表示装置は各種のものが提案され、実用化されてきたが、その中に、それぞれが光源を発光ダイオードとして予め定めた色の光表示を行える表示ユニットを基体部上に複数段に順次積み重ねた光表示装置がある。
この種の表示装置は特開２００５−１６４８３５号公報や特開２００６−３０７３９号公報に記載されている。
【０００３】
これら文献に記載された光表示装置は、複数段に積み重ねられた表示ユニットのそれぞれがそこに採用されている発光ダイオードの発光色とカバーの色とにより、予め定めた色で光表示できるように構成されており、各表示ユニットは、表示ユニットとは別途設けられた制御回路から出力される発光ダイオードのオンオフ動作指示に基づいて該発光ダイオードをオンオフする駆動回路を含んでいる。
【０００４】
【特許文献１】特開２００５−１６４８３５号公報
【特許文献２】特開２００６−３０７３９号公報
【発明の開示】
【発明が解決しようとする課題】
【０００５】
しかしながら、このような光表示装置によると、各表示ユニットにおける発光ダイオードの点灯制御は、発光ダイオードを一斉にオン又はオフするものであり、従って各表示ユニットについてみれば、それは単に点灯又は消灯するだけである。
【０００６】
そこで本発明は、それぞれが光源を発光ダイオードとして予め定めた色の光表示を行える表示ユニットが基体部上に複数段に順次積み重ねられた光表示装置であって、表示ユニットのいずれもが単に点灯又は消灯するだけのものである場合とは異なる、人目をひきやすい、視認性良好な表示を行うことができ、それでいて、全体がコンパクトにまとめられ、また、分解組み立てが容易な光表示装置を提供することを課題とする。
【課題を解決するための手段】
【０００７】
本発明は前記課題を解決するため、
それぞれが光源を発光ダイオードとして予め定めた色の光表示を行える表示ユニットが基体部上に複数段に順次積み重ねられた光表示装置であり、
前記基体部に設けられ、前記表示ユニットのそれぞれに共通に用いられる電源回路部と、
前記基体部に設けられ、前記各表示ユニットに対応した表示信号入力部を含む表示信号出力回路部とを含み、
前記各表示ユニットは、
複数個の発光ダイオードを環状に配列した発光ダイオード基板と、該発光ダイオード基板に接続された発光ダイオードの駆動回路基板と、該発光ダイオードからの光を予め定めた方向へ反射出射させるための該発光ダイオードに臨む反射放光体と、これら発光ダイオード基板、駆動回路基板及び反射放光体の周囲を覆う筒状の透光性カバーとを含んでおり、
前記表示ユニットのうち前記基体部に最も近い最下段の表示ユニットにおける前記駆動回路基板が接離可能のコネクタを介して前記電源回路部及び前記表示信号出力回路部に接続されているとともに該最下段より上の各表示ユニットの駆動回路基板が接離可能のコネクタを介して隣り合う下の段の表示ユニットにおける駆動回路基板に接続されていることで、前記複数段に積み重ねられた表示ユニットのそれぞれの駆動回路基板が前記電源回路部及び前記表示信号出力回路部に接続されており、
前記表示ユニットのそれぞれの発光ダイオードの駆動回路基板は、前記電源回路部から電力供給を受けるとともに前記表示信号出力回路部から自身へ向けられた表示信号を受信して該駆動回路基板に接続された前記発光ダイオード基板上の発光ダイオードを該表示信号に応じて点灯制御でき、
前記表示ユニットのうち少なくとも一つにおける前記駆動回路基板は該駆動回路基板に接続された前記発光ダイオード基板上の環状配列発光ダイオードを回転灯様に点灯させることができる基板であり、前記表示信号出力回路部から自身へ向けられる回転灯様点灯を指示する表示信号に基づいて該駆動回路基板に接続された前記発光ダイオード基板上の発光ダイオードを回転灯様に点灯制御する光表示装置を提供する。
【０００８】
本発明に係る光表示装置は、表示信号出力回路部の表示信号入力部を手動の表示信号入力操作部に接続したり、本発明に係る光表示装置を用いて動作状態等の表示を行おうとする機器に接続するなどして、光表示させようとする表示ユニットに対応した表示信号が入力され得るようにして用いる。
【０００９】
このようにして表示信号入力部を介して表示信号が入力されると、表示信号出力回路部は該信号を各表示ユニットの発光ダイオード駆動回路基板へ向け出力する。各表示ユニットの発光ダイオード駆動回路基板は、各ユニットに共通の電源回路部から電力供給を受けて動作可能な状態におかれ、表示信号出力回路部から出力されてくる表示信号が自身に向けられたものであれば、該信号を取り込んで該駆動回路基板に接続された発光ダイオード基板上の発光ダイオードを該表示信号に応じて点灯制御する。
【００１０】
表示ユニットのうち少なくとも一つにおける発光ダイオードの駆動回路基板は該駆動回路基板に接続された発光ダイオード基板上の環状配列発光ダイオードを回転灯様に点灯させることができる基板であり、表示信号出力回路部からの表示信号が環状配列発光ダイオードが回転灯様に点灯することを指示する表示信号であって、自身に向けられたものであるときは、これを取り込み、自身基板に接続された発光ダイオード基板上の発光ダイオードを回転灯様に点灯制御する。
【００１１】
ここで環状配列発光ダイオードの回転灯様の点灯とは、環状に配列された発光ダイオードが順次点灯していく一方、今まで点灯していたものが順次消灯していくことで、恰も回転灯のように見える点灯状態を指している。
【００１２】
いずれにしても、発光ダイオードから発せられた光は該発光ダイオードに臨む反射放光体により反射等して該反射放光体から出射され、さらに筒状の透光性のカバーを通過してカバー外へ出射され、且つ、発光ダイオードの発光色と透光性カバーの色とで決まる色の光となってカバー外へ出射され、この光表示を表示装置外部から視認することができる。      
【００１３】
本発明に係る光表示装置は、表示ユニットのうち少なくとも一つにおける発光ダイオード駆動回路基板が該駆動回路基板に接続された発光ダイオード基板上の環状配列発光ダイオードを回転灯様に点灯させることができる基板であり、表示信号出力回路部からの表示信号が環状配列発光ダイオードが回転灯様に点灯することを指示する表示信号であって、自身に向けられたものであるときは、これを取り込み、自身基板に接続された発光ダイオード基板上の発光ダイオードを回転灯様に点灯制御するので、該表示ユニットは回転灯用に光表示でき、それにより光表示装置全体として、表示ユニットのいずれもが単に点灯又は消灯するだけのものである場合とは異なる、人目をひきやすい、視認性良好な表示を行うことができる。
【００１４】
また、本発明に係る光表示装置では、発光ダイオードの駆動回路は表示ユニットごとに一つの基板にまとめられて各表示ユニットに納められており、しかも、発光ダイオードを単に一斉点灯、消灯するだけの場合よりは複雑化する、発光ダイオードを回転灯様に点灯制御する回路も一つの基板にまとめられて、回転灯様の光表示を行えるべき表示ユニットに納められているから、そして、電源回路部については各表示ユニットに共通のものとして基体部に設けられているから、それだけ光表示装置全体がコンパクトに形成されている。
【００１５】
各表示ユニットにおいては、発光ダイオードの駆動回路基板は、それが搭載された表示ユニットが前記基体部に最も近い最下段の表示ユニットにおける駆動回路基板であれば、接離可能のコネクタを介して前記電源回路部及び前記表示信号出力回路部に接続され、最下段より上の表示ユニットであるときは、接離可能のコネクタを介して隣り合う下の段の表示ユニットにおける駆動回路基板に接続されるので、各コネクタを切り離し又は結合することで、各表示ユニットを他の表示ユニット或いは基体部から簡単に電気的に分離させたり、他の表示ユニット或いは基体部に簡単に電気的に接続したりでき、それだけ分解組み立てを容易に行える。
各表示ユニットにおいては、発光ダイオードの駆動回路基板が、接離可能のコネクタを介して該駆動回路基板で点灯制御されるべき発光ダイオード基板に接続されていてもよい。
【００１６】
本発明に係る光表示装置において、前記表示ユニットのそれぞれにおける前記駆動回路基板は、前記電源回路部から電力供給を受けるとともに前記表示信号出力回路部から自身へ向けられた表示信号を受信して該駆動回路基板に接続された前記発光ダイオード基板上の発光ダイオードを該表示信号に応じて点灯制御できるものであるが、表示信号出力回路部から自身へ向けられた表示信号だけを簡単、確実に取り込むための判別手段として、信号取り込みジャンパ回路部を採用するものであってもよい。
【００１７】
本発明に係る光表示装置においては、前記表示ユニットのうち二つ以上（表示ユニットの全数であってもよい）における駆動回路基板のそれぞれが、該駆動回路基板が接続された発光ダイオード基板上の環状配列発光ダイオードを回転灯様に点灯制御することができる基板であってもよく、その場合、該発光ダイオードを回転灯様に点灯制御できる駆動回路基板は前記信号取り込みジャンパ回路部以外の回路部分が同じものとすることができる。
【００１８】
これにより、前記表示ユニットのうち二つ以上（表示ユニットの全数であってもよい）における駆動回路基板のそれぞれが発光ダイオードを回転灯様に点灯制御できる駆動回路基板であったとしても、光表示装置の構成をそれだけ簡素化でき、製作コストを抑制することができる。
【００１９】
本発明に係る光表示装置においては、
前記発光ダイオード基板上の環状配列発光ダイオードを回転灯様に点灯制御させることができる駆動回路基板のうち少なくとも一つは、該駆動回路基板に接続された発光ダイオード基板上の環状配列発光ダイオードを回転灯様点灯以外の状態に点灯させることもできる基板であってもよい。この場合、該基板は、前記表示信号出力回路部から自身へ向けられる回転灯様点灯以外の点灯指示の表示信号に基づいて該駆動回路基板に接続された発光ダイオード基板上の発光ダイオードを回転灯様点灯以外の状態に点灯制御する。
【００２０】
このように発光ダイオード基板上の発光ダイオードを回転灯様点灯以外の状態に点灯制御するときの発光ダイオード点灯状態としては、代表例として発光ダイオードの一斉点灯を挙げることができるが、発光ダイオードの一斉点滅でもよく、これらの組み合わせ等であってもよい。
【００２１】
このように発光ダイオードを回転灯様点灯以外の状態にも点灯制御できるようにしておけば、本発明に係る光表示装置による光表示をそれだけ多様化できる。
【００２２】
前記基体部にさらにブザー及び該ブザーの駆動回路を備え、該ブザー駆動回路は前記電源回路部及び前記表示信号出力回路部に配線接続し、該表示信号出力回路部に該ブザー駆動回路にブザー駆動指示信号を発するための部分を含めてもよい。
【００２３】
本発明に係る光表示装置においては、例えば、少なくとも一つの表示ユニットにおける前記反射放光体を、例えば、前記発光ダイオード基板上の環状配列発光ダイオードに臨む透明な光反射放光部材と、該光反射放光部材に前記発光ダイオードとは反対側から臨む光反射傘部材とを含んでいるものとしてもよい。
【００２４】
本発明に係る光表示装置においては、光表示の多様化のために、前記複数段の表示ユニットは、積み重ね変えてそれぞれの段位置を変更することができるようにしてもよく、また、前記表示ユニットの積み重ね段数を増減することができるようにしてもよい。
【発明の効果】
【００２５】
以上説明したように本発明によると、
それぞれが光源を発光ダイオードとして予め定めた色の光表示を行える表示ユニットが基体部上に複数段に順次積み重ねられた光表示装置であって、表示ユニットのいずれもが単に点灯又は消灯するだけのものである場合とは異なる、人目をひきやすい、視認性良好な表示を行うことができ、それでいて、全体がコンパクトにまとめられ、また、分解組み立てが容易な光表示装置を提供することができる。
【発明を実施するための最良の形態】
【００２６】
以下本発明に係る光表示装置例について図面を参照して説明する。
図１は光表示装置全体の正面図である。図２は図１に示す光表示装置の最上段表示ユニット、その下の段の表示ユニットの一部、最下段の表示ユニットの一部及び基体部の一部のそれぞれを断面で示す図である。図８、図９及び図１０は図１の光表示装置における回路構成を示す図である。
【００２７】
図示例の光表示装置Ａは、図１に示すように基体部１０上に白色表示ユニットＵＷ、青色表示ユニットＵＢ、緑色表示ユニットＵＧ、黄色表示ユニットＵＹ及び赤色表示ユニットＵＲを下から上へ順次積み重ねたものである。
【００２８】
表示ユニットＵＷ、ＵＢ、ＵＧ、ＵＹ及びＵＲのそれぞれは、平面或いは底面から見ると、外輪郭が円形である。基体部１０も同様に平面或いは底面から見ると、外輪郭が円形である。
【００２９】
最上段の表示ユニットＵＲにはキャップＣａを被せ着けてある。図３（Ａ）はキャップＣａの平面図であり、図３（Ｂ）は図３（Ａ）のＸ−Ｘ線に沿う断面図である。キャップＣａは図３（Ａ）に示すように平面から見ると表示ユニットと略同外径の円形の部材で、図３（Ｂ）に示すように中央部が下方へ向けて陥没形成されており、該陥没部位Ｃａ１の底部中央にボルト挿入孔ｈが形成されている。
【００３０】
図２に示すように、基体部１０の頂部には蓋部材１００が嵌着固定されている。蓋部材１００は、概ね、円形底壁１０１から周壁１０２を短円筒状に一体に立ち上がらせた形態のものであり、周壁下部１０２１が基体部１０に内嵌めにより嵌着固定されており、周壁下部１０２１より大径の周壁上部１０２２が基体部１０より上方へ突出している。周壁の下部１０２１と上部１０２２との境目の外周段部が基体部１０の上端面に当接している。      
【００３１】
基体部１０の頂部の外径は蓋部材１００の周壁上部１０２２の外径と略同じであり、それにより形成された段部１０３にシールリングＲが嵌められている。後述する表示ユニットＵＷのカバー４Ｗが蓋部材１００の周壁上部１０２２に着脱可能に嵌められており、シールリングＲは該カバー４Ｗの下端面と該段部１０３との間に液密に挟まれている。
【００３２】
蓋部材１００の径の異なる周壁下部１０２１と周壁上部１０２２とにより周壁１０２の内周側に段部１０４が形成されており、該段部に円形の支持基板１０５が嵌着固定されている。
図２に示すように、前記キャップＣａの中央部の孔ｈから挿入され、各表示ユニットの中央部を後述するように貫通して支持基板１０５に達したボルトｂが支持基板１０５に設けた雌ねじ部ｆｓに螺合緊締されており、それにより、各表示ユニットが積み重ねられた状態が維持されている。
【００３３】
５段に積み重ねられた表示ユニットＵＲ、ＵＹ、ＵＧ、ＵＢ及びＵＷのそれぞれは、基本的構造が同じものである。
表示ユニットを代表して最上段の表示ユニットＵＲについて説明すると、この表示ユニットは、図２に示すように、発光ダイオード基板１と、発光ダイオード駆動回路基板２と、発光ダイオードに臨む反射放光体３と、これら発光ダイオード基板１、駆動回路基板２及び反射放光体３の周囲を覆う筒状の透光性カバー４Ｒとを含んでいる。
【００３４】
図２に示すように、カバー４Ｒの頂部には蓋部材５が嵌着されている。蓋部材５は取り外し可能ではあるが通常時は外れ難いようにカバー４Ｒ頂部に嵌着されている。図４（Ａ）は蓋部材５の断面図であり、図４（Ｂ）は蓋部材５の底面図である。
蓋部材５は、概ね、円形底壁５１から周壁５２を短円筒状に一体に立ち上がらせるとともに底壁中央部から下方へ向け後述する反射放光体３を嵌め付ける嵌付用部５３を突設したものである。図４（Ｂ）に示すように、底壁５１にはＴ字形状の貫通孔５４が形成されている。
【００３５】
図２に示すように蓋部材５は、周壁５２の下部５２１の部分でカバー４Ｒに内嵌めにより嵌着されており、周壁下部５２１より大径の周壁上部５２２がカバー４Ｒより上方へ突出している。周壁５２の下部５２１と上部５２２との境目の外周段部がカバー４Ｒの上端面に当接している。
【００３６】
カバー４Ｒの頂部の外径は蓋部材５の周壁上部５２２の外径と略同じであり、それにより形成された段部４１にシールリングＲが嵌められている。前記のキャップＣａは蓋部材５の周壁上部５２２に着脱可能に嵌められており、シールリングＲはキャップＣａの下端面とカバー段部４１との間に液密に挟まれている。
【００３７】
蓋部材５の異径の周壁下部５２１と周壁上部５２２とにより周壁５２の内周側に段部５５が形成されており、該段部５５に発光ダイオード駆動回路基板２が円形を呈して嵌め込まれている。基板２は取り外し可能ではあるが通常時は外れ難いように押し込み嵌着されている。この駆動回路基板２は１段下の黄色表示ユニットＵＹの駆動回路基板２に配線接続されいるが、それについては後ほど説明する。
【００３８】
図５（Ａ）は発光ダイオード基板１の正面図であり、図５（Ｂ）は発光ダイオード基板１の底面図である。発光ダイオード基板１は、複数個（ここでは８個）の発光ダイオードＬ１〜Ｌ８を環状に配列したものである。発光ダイオードＬ１〜Ｌ８のそれぞれは所謂砲弾型の発光ダイオードでここでは主たる発光方向が下方へ向けられており、白色発光するものである。
【００３９】
この発光ダイオード基板１は蓋部材５の下に隣り合わせて配置されている。基板１は、図５（Ｂ）に示すように、中央部に貫通孔１１を有しており、貫通孔１１は基板半径方向に長いが、中央は円形に形成されており、該円形部分に続く一対の切欠部１１ａを有している。
【００４０】
前記の蓋部材５の底壁５１の中央から下方へ突設した、反射放光体３を嵌め付ける嵌付用部５３は、図４から分かるように、筒部材を二つ割りしたような一対の半割筒状部材５３１からなっており、各半割筒状部材５３１の下端には蓋部材半径方向に突出した突出部５３１ａが一体的に形成されている。
【００４１】
この一対の半割筒状部材５３１が発光ダイオード基板１の貫通孔１１の中央円形部分に挿通され、さらに基板１を回動させて、部材５３１下端の突出部５３１ａを基板１の下面に係合させてある。かくして、発光ダイオード基板１は蓋部材５に支持されている。
【００４２】
発光ダイオード基板１は前記のように蓋部材５に嵌め込まれた駆動回路基板２に配線接続されているが、それについては後ほど説明する。
【００４３】
反射放光体３は、発光ダイオード基板１上の下方へ向けられた発光ダイオードＬ１〜Ｌ８に下方から臨んでいる。反射方向体３は発光ダイオード基板１上の環状配列発光ダイオードＬ１〜Ｌ８に臨む透明な光反射放光部材３１と、発光ダイオードとは反対側から光反射放光部材３１に臨む光反射傘部材３２とからなっている。
【００４４】
図６（Ａ）は光反射放光部材３１の正面図であり、図６（Ｂ）は部材３１の平面図であり、図６（Ｃ）は部材３１の底面図である。
【００４５】
光反射放光部材３１は、複数個のブロック３１０が等中心角度間隔で支柱部３１Ｓの周囲に放射状に配列され、該複数個のブロック３１０が支柱部３１Ｓとともに一体的に形成されたものである。
【００４６】
各ブロック３１０は、上端から下端へかけて支柱部３１Ｓ側へ若干（本例では約２°）傾いて立ち下がる平坦外側面３１１、該外側面３１１の下端から支柱部３１Ｓへ向け上り傾斜する、底面から見ると台形を呈する下端面３１２及び外側面３１１の上端から支柱部３１Ｓへ向け延びる断面３角形の上面側の溝部３１３を有している。支柱部３１Ｓには、円筒径の中空孔３１ｈが上下方向に貫通しており、上端面に一対の突起３１ａを有している。
【００４７】
光反射傘部材３２は、図２に示すように、少なくとも上面（部材３１に向けられた面）を光反射面に形成した傘状部分３２１と、傘状部分３２１の頂部から立ち上がるシャフト部分３２２と、シャフト部分３２２の中央部から上下方向に延びるパイプ部分３２３とを含んでおり、これら部分は一体的に形成されている。パイプ部分３２３は傘状部分３２１の略下端からシャフト部分３２２を貫通して上方へ延びている。
【００４８】
光反射放光部材３１は、その支柱部３１Ｓ上端の一対の突起３１ａ（図６参照）が前記発光ダイオード基板１の貫通孔１１の中央円形部分に連続する一対の切欠部１１ａ（図５（Ｂ）参照）に嵌まって位置決めされる状態で配置されている。
【００４９】
光反射傘部材３２のシャフト部分３２２が光反射放光部材３１の支持部３１Ｓの貫通中空孔３１ｈにその摩擦抵抗に抗して押し込み嵌着されるとともにパイプ部分３２３が発光ダイオード基板１の孔１１の中央部にとおされ、さらに蓋部材５の嵌付用部５３の一対の半割筒状部材５３１の間をそれらの摩擦抵抗に抗して貫通せしめられて発光ダイオード駆動回路基板２の上側まで達している。
【００５０】
かくして、反射放光体３（光反射放光部材３１及び光反射傘部材３２）は蓋部材５に支持され、発光ダイオードＬ１〜Ｌ８に対する所定位置に配置されている。
透光性カバー４Ｒは赤色カバーである。従って、表示ユニットＵＲでは、発光ダイオードが白色発光することで赤色表示を行える。
【００５１】
以上表示ユニットＵＲについて説明したが、他の表示ユニットＵＹ、ＵＧ、ＵＢ及びＵＷのそれぞれも表示ユニットＵＲと基本的には同じ構成である。異なる点としては次の点を代表的に挙げることができる。
【００５２】
(1) 透光性カバー４Ｒに代えて、ユニット４Ｙでは黄色の透光性カバー４Ｙが、ユニット４Ｇでは緑色の透光性カバー４Ｇが、ユニット４Ｂでは青色の透光性カバー４Ｂが、ユニット４Ｗでは無色透明の透光性カバー４Ｇがそれぞれ採用されている。
(2) ユニットＵＹ、ＵＧ、ＵＢ及びＵＷのそれぞれの蓋部材５の周壁上部５２２には隣り合う上側の表示ユニットの透明カバーの下端部が着脱可能に外嵌される。そして各上下に隣り合う透光性カバーの間にシールリングＲが液密に挟着される。
なお、最下段表示ユニットＵＷの透光性カバー４Ｗの下端部は、既述のとおり、基体部１０の蓋部材１００の周壁上部１０２２に嵌められる。
(3) 発光ダイオード駆動回路基板２における回路構成が後述するように、表示ユニット毎に若干異なる。
【００５３】
そして、前記のとおり、ボルトｂがキャップＣａの中央部の孔ｈから挿入され、各表示ユニットの中央部を貫通して（さらに言えば、各表示ユニットの発光ダイオード駆動回路基板２の上側まで来ている光反射傘部材３２のパイプ部分３２３を貫通して）、基体部１００における支持基板１０５に達し、雌ねじ部ｆｓに螺合緊締され、それにより、各表示ユニットが積み重ねられた状態が維持されている。
【００５４】
図８は、基体部１０に内蔵された電源回路部ＰＷＣ、表示信号出力回路部ＤＳＣ、ブザー駆動回路ＢｚＣ及びブザーＢｚを示している。
【００５５】
電源回路部ＰＷＣは、外部電力入力端子部ＣＮ６において１００Ｖ〜２２０Ｖの範囲の外部交流電力の供給を受け、これを整流し、後述するマイクロコンピュータ駆動用及び発光ダイオード点灯用の駆動電圧ＶＤＤ（＋５Ｖ）を出力するとともに１３Ｖ〜２０Ｖの範囲のブザー駆動電圧を出力するものである。
電源回路部ＰＷＣにおいて符号Ｍ２で示す素子は電源ＩＣであり、スイッチング動作により電圧を制御するものである。
【００５６】
ブザー駆動回路ＢｚＣはブザーＢｚを駆動するためのものであり、回路ＢｚＣ側のコネクタＣＮｂ１にブザー側コネクタＣＮｂ２を切り離し可能に接続することで該駆動回路に接続される。
【００５７】
表示信号出力回路部ＤＳＣは、各表示ユニットに対応した表示信号及びブザー駆動指示信号をそれぞれ入力するための信号入力部ＣＮ５及び各表示ユニットに対応した表示信号を出力ための雌コネクタＣＮ４１ｆを含んでいる。
また、デジトラと一般に称されているスイッチング素子ＤＴ１、ＤＴ２等をオン、オフするマイクロコンピュータＭ１も含んでいる。
【００５８】
信号入力部ＣＮ５は、点灯・ブザー共通端子（接地端子）１、ブザー用端子２、赤色表示用端子３、黄色表示用端子４、緑色表示用端子５、青色用表示端子６、白色表示用端子７及び回転灯様表示のための共通端子８を有している。
一方、雌コネクタＣＮ４１ｆは駆動電圧ＶＤＤ出力端子１、赤色表示用端子２、黄色表示用端子３、緑色表示用端子４、青色用表示端子５、白色表示用端子６及び接地端子７を有している。
【００５９】
信号入力部ＣＮ５によると、接地共通端子１と端子２とを短絡させることでマイクロコンピュータＭ１を介してブザー駆動回路ＢｚＣのデジトラＤＴ２をオンしてブザーＢｚを鳴動させることができる。
信号入力部ＣＮ５において端子３〜７が端子１或いは端子８と短絡していないときは、コネクタＣＮ４１ｆにおける端子２〜６からは、表示ユニットの発光ダイオードを点灯させないで消灯させたままとすることを意味する５Ｖのハイ信号（以下、「Ｈｉ」という。）が出力され、この状態ではいずれの表示ユニットも光表示しない。
【００６０】
信号入力部ＣＮ５において赤色表示用端子３と共通端子１とを短絡させると、コネクタＣＮ４１ｆの赤色表示用端子２から、赤色表示ユニットＵＲの発光ダイオードＬ１〜Ｌ８の一斉点灯を指示するロー信号（以下「Ｌｏ」という。）が出力される。
同様に、信号入力部ＣＮ５の黄色表示用端子４と共通端子１とを短絡させると、コネクタＣＮ４１ｆの黄色表示用端子３から、黄色表示ユニットＵＹの発光ダイオードＬ１〜Ｌ８の一斉点灯を指示するＬｏが出力される。
信号入力部ＣＮ５において緑色表示用端子５と共通端子１とを短絡させると、コネクタＣＮ４１ｆの緑色表示用端子４から、緑色表示ユニットＵＧの発光ダイオードＬ１〜Ｌ８の一斉点灯を指示するＬｏが出力される。
信号入力部ＣＮ５の青色表示用端子６と共通端子１とを短絡させると、コネクタＣＮ４１ｆの青色表示用端子５から、青色表示ユニットＵＢの発光ダイオードＬ１〜Ｌ８の一斉点灯を指示するＬｏが出力される。
信号入力部ＣＮ５の白色表示用端子７と共通端子１とを短絡させると、コネクタＣＮ４１ｆの白色表示用端子６から、白色表示ユニットＵＷの発光ダイオードＬ１〜Ｌ８の一斉点灯を指示するＬｏが出力される。
【００６１】
また、マイクロコンピュータＭ１の指示によりスイッチング素子（デジトラ）ＤＴ１は常時オンオフを繰り返しており、信号入力部ＣＮ５において赤色表示用端子３と共通端子８とを短絡させると、コネクタＣＮ４１ｆの赤色表示用端子２から、赤色表示ユニットＵＲの発光ダイオードＬ１〜Ｌ８の回転灯様点灯を指示するハイ、ロー（Ｈｉ、Ｌｏ）の繰り返し信号が出力される。
同様に、信号入力部ＣＮ５の黄色表示用端子４と共通端子８とを短絡させると、コネクタＣＮ４１ｆの黄色表示用端子３から、黄色表示ユニットＵＹの発光ダイオードＬ１〜Ｌ８の回転灯様点灯を指示するＨｉ、Ｌｏの繰り返し信号が出力される。
信号入力部ＣＮ５において緑色表示用端子５と共通端子８とを短絡させると、コネクタＣＮ４１ｆの緑色表示用端子４から、緑色表示ユニットＵＧの発光ダイオードＬ１〜Ｌ８の回転灯様点灯を指示するＨｉ、Ｌｏの繰り返し信号が出力される。
信号入力部ＣＮ５の青色表示用端子６と共通端子８とを短絡させると、コネクタＣＮ４１ｆの青色表示用端子５から、青色表示ユニットＵＢの発光ダイオードＬ１〜Ｌ８の回転灯様点灯を指示するＨｉ、Ｌｏの繰り返し信号が出力される。
信号入力部ＣＮ５の白色表示用端子７と共通端子８とを短絡させると、コネクタＣＮ４１ｆの白色表示用端子６から、白色表示ユニットＵＷの発光ダイオードＬ１〜Ｌ８の回転灯様点灯を指示するＨｉ、Ｌｏの繰り返し信号が出力される。
【００６２】
表示信号出力回路部ＤＳＣの信号入力部ＣＮ５のこのような短絡操作は信号入力部ＣＮ５を手動の表示信号入力操作部（図示省略）に接続したり、光表示装置Ａを用いて動作状態等を表示しようとする機器等に接続するなどして、光表示させようとする表示ユニットに対応した表示信号が入力され得るように、また、状況に応じてブザー駆動指示信号が入力される得るようにして用いることができる。
【００６３】
図８には示していないが、表示装置Ａにおいては、電源回路部ＰＷＣの外部電力入力端子部ＣＮ６に電力供給ラインを接続するとともに、表示信号出力回路部ＤＳＣの信号入力部ＣＮ５の各端子にもラインを接続し、これらラインをまとめて、図７に示すように基体部１０の底部開口Ｂｈからライン群ＣＬ４として基体部外へ引出し、コネクタＣＮ７を介して、外部電源及び（手動の表示信号入力操作部（図示省略）や、光表示装置Ａを用いて動作状態等を表示しようとする機器等）に接続できるようにしてある。
【００６４】
表示ユニットＵＲの発光ダイオード駆動回路基板２における回路構成は図９に示すものである。図９に示すように、基板２にはユニットＵＲの発光ダイオード駆動回路の入力側の雌コネクタＣＮ３ｆが搭載されているとともに、出力側の雌コネクタＣＮ２ｆが搭載されている。これら両コネクタ間にはジャンパ回路部ＪＣ、マイクロコンピュータ２１及び定電流駆動回路２２等が接続されている。
【００６５】
入力側のコネクタＣＮ３ｆは駆動電圧入力端子１、赤色表示用端子２、黄色表示用端子３、緑色表示用端子４、青色表示用端子５、白色表示用端子６及び接地端子７を備えている。出力側のコネクタＣＮ２ｆは、駆動電圧出力端子１及び発光ダイオードに接続されるべき８個の発光ダイオード駆動用端子２〜９を備えている。
【００６６】
この表示ユニットＵＲの発光ダイオード駆動回路構成においては、自身へ向けられた表示信号のみを選択的に受け入れるように、入力側コネクタに赤色表示信号が入ってきたときのみ、ジャンパ回路部ＪＣが、その信号をマイクロコンピュータ２１に伝達するように、ジャンパ回路部の最上段の部分のみが短絡設定されている（図９では短絡部材Ｊ１にて入力側コネクタの赤色表示用端子２をコンピュータ２１に接続してある）。
【００６７】
また、発光ダイオード駆動回路基板２には、前記の入力側のコネクタＣＮ３ｆとジャンパ回路部ＪＣとの間から分岐接続された雌コネクタＣＮ４２ｆも搭載さている。この雌コネクタＣＮ４２ｆは前記表示信号出力回路部ＤＳＣの出力側の雌コネクタＣＮ４１ｆ（図８参照）からの信号等を基板２を介して取り出すものであり、電気的には雌コネクタＣＮ４１ｆと同等に作用するものである。
【００６８】
図１０に示すように、発光ダイオード基板１には、発光ダイオードＬ１〜Ｌ８に接続された雌コネクタＣＮｆ１が搭載されている。
【００６９】
以上説明した発光ダイオード基板１は各表示ユニットにおいて同じである。
発光ダイオード駆動回路基板２における回路構成は、ジャンパ回路部ＪＣにおける短絡箇所を除けば、表示ユニットＵＹ、ＵＧ、ＵＢ及びＵＷのそれぞれにおいてもユニットＵＲと同じである。
【００７０】
表示ユニットＵＹの回路基板２では、黄色表示信号のみを選択的に取り込めるように、図９に示すものと同じジャンパ回路部ＪＣにおいて上から２段目の部分のみが短絡されている。
表示ユニットＵＧの回路基板２では、緑色表示信号のみを選択的に取り込めるように、図９に示すものと同じジャンパ回路部ＪＣにおいて上から３段目の部分のみが短絡されている。
表示ユニットＵＢの回路基板２では、青色表示信号のみを選択的に取り込めるように、図９に示すものと同じジャンパ回路部ＪＣにおいて上から４段目の部分のみが短絡されている。
表示ユニットＵＷの回路基板２では、白色表示信号のみを選択的に取り込めるように、図９に示すものと同じジャンパ回路部ＪＣにおいて上から５段目の部分のみが短絡されている。
【００７１】
各表示ユニットの発光ダイオード駆動回路基板２は、図９及び図１０において表示ユニットＵＲに例をとって示すように、基板２の出力側の雌コネクタＣＮ２ｆが接続ラインＣＬ１により発光ダイオード基板１上の雌コネクタＣＮ１ｆに接続されることで発光ダイオード基板１に接続されている。
【００７２】
接続ラインＣＬ１は、一端部にコネクタＣＮ２ｆに対し接続切り離し可能の（接離可能の）雄コネクタＣＮ２ｍが、他端部に基板１上の雌コネクタＣＮ１ｆに接離可能の雄コネクタＣＮ１ｍを有している。
各表示ユニットにおいては、同様の接続ラインＣＬ１のコネクタＣＮ２ｍとＣＮ２ｆが接続され、ラインＣＬ１のコネクタＣＮ１ｍとＣＮ１ｆが接続されることで、発光ダイオード基板１と駆動回路基板２とが接離可能に接続されている。
【００７３】
このとき、雄コネクタＣＮ１ｍ又はＣＮ２ｍを予め蓋部材５の底壁５１の貫通孔５４の一部５４２に通過させることで、図２に示すように雄コネクタＣＮ１ｍを底壁５１の下側に配置して基板１上の雌コネクタＣＮ１ｆに接続するとともに雄コネクタＣＮ２ｍを底壁５１の上側に配置して基板２上のコネクタＣＮ２ｆに接続してある。
【００７４】
前記の表示信号出力回路部ＤＳＣの出力側の雌コネクタＣＮ４１ｆは、図２に示すように、基体部１０の蓋部材１００に固定した支持基板１０５に搭載固定されている。図２においてＣＬ３は、コネクタＣＮ４１ｆに繋がり、基体部１０の蓋部材１００の底壁孔１０１ｈを通っているライン群を示している（図８も参照）。
【００７５】
最下段の表示ユニットＵＷの発光ダイオード駆動回路基板２は、接続ラインＣＬ２（図８及び図２参照）を用いて基体部１００における上記コネクタＣＮ４１ｆを介して表示信号出力回路部ＤＳＣに接続されている。
【００７６】
接続ラインＣＬ２は、表示信号出力回路部ＤＳＣのコネクタＣＮ４１ｆに対し接続切り離し可能の（接離可能の）雄コネクタＣＮ４ｍを一端部に有しているとともに、駆動回路基板２上の雌コネクタＣＮ３ｆに接離可能の雄コネクタＣＮ３ｍを有している。接続ラインＣＬ２端部の雄コネクタＣＮ４ｍは、駆動回路基板２上の雌コネクタＣＮ４２ｆに対しても接離可能である。
【００７７】
上下に隣り合う表示ユニット間（ＵＲとＵＹ間、ＵＹとＵＧ間、ＵＧとＵＢ間、ＵＢとＵＷ間）においては、同様の接続ラインＣＬ２のコネクタＣＮ４ｍが下段側の表示ユニットの発光ダイオード駆動回路基板２上の雌コネクタＣＮ４２ｆに接離可能に接続され、同ラインＣＬ２のコネクタＣＮ３ｍが上段側の表示ユニットの発光ダイオード駆動回路基板２上の雌コネクタＣＮ３ｆに接離可能に接続される。
【００７８】
このとき、ラインＣＬ２は、図２に示すように、予め光反射傘部材３２のシャフト部分３２２に形成されたライン通し部（図示省略）、光反射放光部材３１の支柱部３１Ｓの孔３１ｈ、発光ダイオード基板１の孔１１及び蓋部材５の底壁孔５４の一部５４１に通されている。
【００７９】
かくして、基体部１０に最も近い最下段の表示ユニットＵＷにおける発光ダイオード駆動回路基板２がコネクタ（ＣＮ４１ｆ、ＣＮ４ｍ）及び（ＣＮ３ｍ、ＣＮ３ｆ）を介して電源回路部ＰＷＣ及び表示信号出力回路部ＤＳＣに接離可能に接続されているとともに、最下段より上の表示ユニットＵＢ、ＵＧ、ＵＹ、ＵＲのそれぞれの駆動回路基板２がコネクタ（ＣＮ４２ｆ、ＣＮ４ｍ）及び（ＣＮ３ｍ、ＣＮ３ｆ）を介して隣り合う下の段の表示ユニットにおける駆動回路基板２に接離可能に接続されている。このようにして、全体として各表示ユニットの発光ダイオード駆動回路基板２が電源回路部ＰＷＣ及び表示信号出力回路部ＤＳＣに並列接続されている。
【００８０】
以上説明した光表示装置Ａによると、表示信号出力回路部ＤＳＣの表示信号入力部ＣＮ５から表示信号が入力されると、回路部ＤＳＣは該信号を表示ユニットＵＲ、ＵＹ、ＵＧ、ＵＢ、ＵＷのそれぞれの発光ダイオード駆動回路基板２へ向け出力する。表示ユニットＵＲ、ＵＹ、ＵＧ、ＵＢ、ＵＷのそれぞれの発光ダイオード駆動回路基板２は、各ユニットに共通の電源回路部ＰＷＣから電力供給を受けて動作可能な状態におかれ、表示信号出力回路部ＤＳＣから出力されてくる表示信号が自身に向けられたものであれば、該信号を取り込んで該駆動回路基板２に接続された発光ダイオード基板１上の発光ダイオードを該表示信号（一斉点灯表示信号又は回転様点灯表示信号）に応じて点灯制御する。
【００８１】
各発光ダイオード駆動回路基板２におけるコンピュータ２１は、入力されたてきた信号が発光ダイオードＬ１〜Ｌ８を一斉点灯させることを指示する信号（Ｌｏ）であるときは、回路２２を介して発光ダイオードＬ１〜Ｌ８を一斉点灯させる。発光ダイオードＬ１〜Ｌ８が点灯すると、その光が反射放光体３により発射、屈折等されつつ反射放光体３の周囲へ放出され、さらに透明カバーを通って外部へ放出される。かくして、かくして透明カバーの色で表示がなされ、これを表示装置Ａの外側から視認できる。
【００８２】
各発光ダイオード駆動回路基板２におけるコンピュータ２１は、入力されてきた信号が発光ダイオードＬ１〜Ｌ８を順次点灯させていく一方、点灯していたものを順次消灯していくことで回転灯様に点灯させることを指示する信号（ＨｉとＬｏの繰り返し）であるときは、回路２２を介して発光ダイオードＬ１〜Ｌ８を回転灯様に点灯させる。  発光ダイオードＬ１〜Ｌ８が回転灯様に点灯すると、その光が反射放光体３により発射、屈折等されつつ反射放光体３の周囲へ放出され、さらに透明カバーを通って外部へ放出される。かくして、透明カバーの色で回転灯様に色表示がなされ、これを表示装置Ａの外側から視認できる。
【００８３】
表示装置Ａは、表示ユニットＵＲ、ＵＹ、ＵＧ、ＵＢ、ＵＷのそれぞれにおける発光ダイオード駆動回路基板２が該駆動回路基板に接続された発光ダイオード基板１上の環状配列発光ダイオードＬ１〜Ｌ８を回転灯様に点灯させることができる基板であり、表示信号出力回路部ＤＳＣからの表示信号が環状配列発光ダイオードの回転灯様点灯を指示する表示信号であって、自身に向けられたものであるときは、これを取り込み、自身基板２に接続された発光ダイオード基板１上の発光ダイオードＬ１〜Ｌ８を回転灯様に点灯制御するので、該表示ユニットは回転灯用に光表示でき、それにより光表示装置Ａ全体としても、表示ユニットのいずれもが単に点灯又は消灯するだけのものである場合とは異なる、人目をひきやすい、視認性良好な表示を行うことができる。
【００８４】
なお、表示ユニットＵＲ、ＵＹ、ＵＧ、ＵＢ、ＵＷの全数でなくても、表示ユニットＵＲ、ＵＹ、ＵＧ、ＵＢ、ＵＷのうち少なくとも一つにおける発光ダイオード駆動回路基板２が該駆動回路基板に接続された発光ダイオード基板１上の環状配列発光ダイオードＬ１〜Ｌ８を回転灯様に点灯させることができる基板であってもよく、その場合でも、光表示装置Ａ全体としては、表示ユニットのいずれもが単に点灯又は消灯するだけのような場合とは異なる、人目をひきやすい、視認性良好な表示を行うことができる。
【００８５】
光表示装置Ａでは、発光ダイオードの駆動回路は表示ユニットごとに一つの基板２にまとめられて各表示ユニットに納められており、しかも、発光ダイオードＬ１〜Ｌ８を単に一斉点灯、消灯するだけの場合よりは複雑化する、発光ダイオードを回転灯様に点灯制御する回路も一つの基板２にまとめられて、回転灯様の光表示を行えるべき表示ユニットに納められているから、そして、電源回路部ＰＷＣについては各表示ユニットに共通のものとして基体部１０に設けられているから、それだけ光表示装置Ａ全体がコンパクトに形成されている。
【００８６】
各表示ユニットにおいては、発光ダイオードの駆動回路基板２は、接離可能のコネクタを介して該駆動回路基板で点灯制御されるべき発光ダイオード基板１に接続されているとともに、該駆動回路基板２は、それが搭載された表示ユニットが基体部１０に最も近い最下段の表示ユニットＵＷにおける駆動回路基板２であれば、接離可能のコネクタを介して電源回路部ＰＷＣ及び表示信号出力回路部ＤＳＣに接続され、最下段より上の表示ユニットであるときは、接離可能のコネクタを介して隣り合う下の段の表示ユニットにおける駆動回路基板２に接続されるので、各コネクタを切り離し又は結合することで、各表示ユニットを他の表示ユニット或いは基体部１０から簡単に分離させたり、他の表示ユニット或いは基体部１０に簡単に接続したりでき、それだけ分解組み立てを容易に行える。
【００８７】
また、光表示の多様化のために、複数段の表示ユニットＵＲ、ＵＹ、ＵＧ、ＵＢ、ＵＷは、積み重ね変えてそれぞれの段位置を変更することもでき、また、同様構成の表示ユニットを増やしたり、表示ユニットの数を減らすこともできる。
【００８８】
光表示装置Ａにおいて、各表示ユニットにおける発光ダイオード駆動回路基板２は、電源回路部ＰＷＣから電力供給を受けるとともに表示信号出力回路部ＤＳＣから自身へ向けられた表示信号を受信して該駆動回路基板２に接続された発光ダイオード基板１上の発光ダイオードＬ１〜Ｌ８を該表示信号に応じて点灯制御できるものであるが、表示信号出力回路部ＤＳＣから自身へ向けられた表示信号だけを取り込む判別手段或いは選択手段としてジャンパ回路部ＪＣを採用しているので、それだけ発光ダイオード駆動回路構成が簡素されているとともに、自身に向けられた信号の取り込みを確実に行える。
【００８９】
また、各発光ダイオード駆動回路基板２は、ジャンパ回路部ＪＣ以外の回路部分が同構成であるから、それだけ光表示装置Ａの構成を簡素化でき、製作コストを抑制することができる。
【００９０】
表示装置Ａにおいては、発光ダイオード基板１上の環状配列発光ダイオードＬ１〜Ｌ８を回転灯様点灯以外の状態に点灯制御するとき、それは一斉点灯であったが、一斉点滅等の他の状態の点灯状態であってもよい。
【図面の簡単な説明】
【００９１】
【図１】本発明に係る光表示装置の１例の正面図である。
【図２】図１に示す光表示装置の一部の断面図である。
【図３】図３（Ａ）は最上段表示ユニットに被せ付けられるキャップの平面図であり、図３（Ｂ）は図３（Ａ）のＸ−Ｘ線に沿う断面図である。
【図４】図４（Ａ）は表示ユニットにおける蓋部材の断面図であり、図４（Ｂ）は該蓋部材の底面図である。
【図５】図５（Ａ）は発光ダイオード基板の正面図であり、図５（Ｂ）は該発光ダイオード基板の底面図である。
【図６】図６（Ａ）は反射放光体を構成している光反射放光部材の正面図であり、図６（Ｂ）は該部材の平面図であり、図６（Ｃ）は該部材の底面図である。
【図７】図１の光表示装置の底面図である。
【図８】図１の光表示装置における電源回路部、表示信号出力回路部等を示す図である。
【図９】図１の光表示装置における一つの表示ユニットの発光ダイオード駆動回路基板の回路構成等を示す図である。
【図１０】図１の光表示装置における一つの表示ユニットの発光ダイオード基板の回路構成等を示す図である。
【符号の説明】
【００９２】
Ａ  光表示装置
ＵＷ  白色表示ユニット
ＵＢ  青色表示ユニット
ＵＧ  緑色表示ユニット
ＵＹ  黄色表示ユニット
ＵＲ  赤色表示ユニット
１０  基体部
ＰＷＣ  電源回路部
ＤＳＣ  表示信号出力回路部
ＣＮ５  表示信号入力部
Ｌ１〜Ｌ８  発光ダイオード
１  発光ダイオード基板
２  発光ダイオード駆動回路基板
ＪＣ  ジャンパ回路部
３  反射放光体
３１  光反射放光部材
３２  光反射傘部材
ＣＮ４１ｆ、ＣＮ４２f 、ＣＮ３ｆ、ＣＮ２ｆ、ＣＮ１ｆ  雌コネクタ
ＣＮ４ｍ、ＣＮ３ｍ、ＣＮ２ｍ、ＣＮ１ｍ  雄コネクタ
４Ｗ  無色透光性カバー
４Ｂ  青色透光性カバー
４Ｇ  緑色透光性カバー
４Ｙ  黄色透光性カバー
４Ｒ  赤色透光性カバー
Ｂｚ  ブザー
ＢｚＣ  ブザー駆動回路
【図１】
2010066471.tif 000003
【図２】
2010066471.tif 000004
【図３】
2010066471.tif 000005
【図４】
2010066471.tif 000006
【図５】
2010066471.tif 000007
【図６】
2010066471.tif 000008
【図７】
2010066471.tif 000009
【図８】
2010066471.tif 000010
【図９】
2010066471.tif 000011
【図１０】
2010066471.tif 000012